(57)【要約】      （修正有）【課題】着脱可能な球通路ユニットと球払出装置を単純構成のロック機構によって脱落防止することができるパチンコ機を提供すること。【解決手段】球通路ユニット２２は上方へスライド移動することで係合突起と係合孔部が係止状態となり、球払出装置２３は下方へスライド移動することで係合突起と係合孔部が係止状態となり、球通路ユニット２２と球払出装置２３との間にロック部材２８を挿入すると、球通路ユニット２２の下方向への動きと球払出装置２３の上方向への動きが両方ともに阻止される。また、球通路ユニット２２と球払出装置２３との間に両者の係止状態を解除可能な解除スペースＳが確保されており、球通路ユニット２２の係合突起を係合孔部から係止解除するのに必要なスライド量が解除スペースＳの上下方向に沿う長さよりも大きく設定されている。【選択図】図３
2017176257.tif 000002
【特許請求の範囲】
【請求項１】
遊技機本体の背面上部に設けられた貯留タンクと、この貯留タンクに貯留された遊技球を上方から下方へ流下させる球通路ユニットと、この球通路ユニットの下端に連設された球払出装置とを備え、前記球払出装置が入賞部への入賞に応じて所定数の遊技球を払い出すように構成されたパチンコ機において、
前記球通路ユニットは前記遊技機本体の背面に設けられた上側係合部に対して下方から上方へのスライド移動によって係止可能であると共に、前記球払出装置は前記遊技機本体の背面に設けられた下側係合部に対して上方から下方へのスライド移動によって係止可能であり、
前記上側係合部に係止された前記球通路ユニットと前記下側係合部に係止された前記球払出装置との間に解除スペースが確保されており、前記球通路ユニットと前記球払出装置との間に介設されたロック部材によって、前記球通路ユニットと前記球払出装置の係止状態を解除する方向の動きが阻止されることを特徴とするパチンコ機。
【請求項２】
請求項１の記載において、前記球通路ユニットを前記上側係合部から係止解除するのに必要なスライド量が前記解除スペースの上下方向に沿う長さよりも大きく設定されていることを特徴とするパチンコ機。
【請求項３】
請求項１または２の記載において、前記ロック部材は前記球通路ユニットと前記球払出装置との間に挿脱できるように前記遊技機本体に移動可能に保持されていることを特徴とするパチンコ機。
【発明の詳細な説明】
【技術分野】
【０００１】
本発明は、遊技機本体の背面に球通路ユニットと球払出装置が着脱自在に装着されるパチンコ機に関するものである。
【背景技術】
【０００２】
一般的にパチンコ機は、遊技場の島設備に設置される縦長方形状の外枠と、この外枠にヒンジ部を介して開閉可能に取り付けられた機器本体と、この機器本体に設置された遊技盤と、機器本体の前面に別のヒンジ部を介して開閉可能に取り付けられたガラス扉とを備えており、ガラス扉の中央部に開設された窓孔には遊技盤の遊技領域を目視可能な透明板が取り付けられている。遊技盤には入賞口や演出表示装置等が設けられており、機器本体の背面には遊技に関する制御を行う制御処理装置等が設けられている。
【０００３】
また、機器本体の背面上部には遊技場の島設備から供給される遊技球を貯留するための貯留タンクが設けられており、貯留タンクに貯留された遊技球は所定の経路を通って球通路ユニットに誘導される。球通路ユニット内には遊技球を通過させるための蛇行した通路が設けられており、この通路に誘導されて球通路ユニット内を上方から下方へ流下した遊技球は球払出装置に導かれる。
【０００４】
球払出装置の内部には、ステッピングモータ等からなる球払出モータや、球払出モータの作動により所定数の遊技球を流下排出させる球送りロータ（スプロケット）や、排出経路を払出通路と球抜き通路のいずれかに切り替える切替機構等が組み込まれており、通常の遊技状態においては、球払出装置の払出通路から排出された遊技球が機器本体の前面に設けられた受け皿内に賞球として払い出される。一方、貯留タンクに貯留された遊技球をパチンコ機の外部に排出して回収する場合は、切替機構を作動させて球払出装置の排出経路を球抜き通路側へ切り替えることにより、球払出装置の球抜き通路から排出された遊技球が島設備に回収される。
【０００５】
通常、このような機能を有する球払出装置は、保守点検や修理・交換等が可能となるように、機器本体の背面に対して着脱可能に取り付けられている。例えば、特許文献１に記載されたパチンコ機は、球払出装置の外殻をなすハウジング部材の上端部に平面視コ字状の被覆壁を形成すると共に、ハウジング部材の下端部に左右一対のガイド溝を形成し、これらガイド溝を下通路部材の上端に形成した被ガイドに挿入しながらハウジング部材を機器本体の背面に押し付け、それに伴って被覆壁を上通路部材の下部に嵌め込むことにより、球払出装置を機器本体の背面に着脱可能に取り付けるようにしている。
【０００６】
このように構成されたパチンコ機では、球払出装置は前後方向と左右方向および上下方向に位置規制された状態で機器本体の背面に取り付けられるため、上通路部材に設けられた整流通路が球払出装置の上端側の受容口に連通されると共に、下通路部材に設けられた排出経路と球抜き通路がそれぞれ球払出装置の下端側の払出口と球抜き口に連通される。そして、球払出装置を機器本体の背面に取り付けた後、上通路部材に設けたロックレバーをスライド操作してハウジング部材の前面上部に係合させると共に、下通路部材に設けた別のロックレバーを回動操作してハウジング部材の前面下部に係合させることにより、これら両ロックレバーで球払出装置の動きを規制して機器本体からの脱落を防止するようにしている。
【先行技術文献】
【特許文献】
【０００７】
【特許文献１】特許第４９１５７５７号公報
【発明の概要】
【発明が解決しようとする課題】
【０００８】
ところで、このようなパチンコ機において、球払出装置の上側に配設される球通路ユニットについても、蛇行通路の清掃を含む保守点検や修理・交換等が可能となるように、機器本体の背面に対して着脱可能とすることが要望されている。その場合、球払出装置の脱落を防止するのに必要なロック機構に加えて、球通路ユニットの脱落を防止するためのロック機構が新たに必要となるため、ロック機構全体が複雑になって大型化してしまうという新たな問題が発生する。
【０００９】
本発明は、このような従来技術の実情に鑑みてなされたもので、その目的は、着脱可能な球通路ユニットと球払出装置を単純構成のロック機構によって脱落防止することができるパチンコ機を提供することにある。
【課題を解決するための手段】
【００１０】
上記の目的を達成するために、本発明のパチンコ機は、遊技機本体の背面上部に設けられた貯留タンクと、この貯留タンクに貯留された遊技球を上方から下方へ流下させる球通路ユニットと、この球通路ユニットの下端に連設された球払出装置とを備え、前記球払出装置が入賞部への入賞に応じて所定数の遊技球を払い出すように構成されたパチンコ機において、前記球通路ユニットは前記遊技機本体の背面に設けられた上側係合部に対して下方から上方へのスライド移動によって係止可能であると共に、前記球払出装置は前記遊技機本体の背面に設けられた下側係合部に対して上方から下方へのスライド移動によって係止可能であり、前記上側係合部に係止された前記球通路ユニットと前記下側係合部に係止された前記球払出装置との間に解除スペースが確保されており、前記球通路ユニットと前記球払出装置との間に介設されたロック部材によって、前記球通路ユニットと前記球払出装置の係止状態を解除する方向の動きが阻止されるようにした。
【００１１】
このように構成されたパチンコ機では、球通路ユニットを上方へスライド移動して上側係合部に係止させると共に、球払出装置を下方へスライド移動して下側係合部に係止させることにより、これら球通路ユニットと球払出装置との間に両者の係止状態を解除可能な解除スペースが確保されるが、球通路ユニットと球払出装置との間にロック部材を介設させると、球通路ユニットが上側係合部との係止状態を解除する下方向への動きと、球払出装置が下側係合部との係止状態を解除する上方向への動きが両方ともに阻止されるため、共通のロック部材を用いて球通路ユニットと球払出装置の脱落を防止することができる。
【００１２】
上記の構成において、球通路ユニットを上側係合部から係止解除するのに必要なスライド量が解除スペースの上下方向に沿う長さよりも大きく設定されていると、ロック部材が島設備に引っ掛かる等して意図せずに離脱してしまった場合でも、球通路ユニットは上側係合部との係止状態が外れる前に球払出装置に当接して下方向への動きが阻止されるため、球払出装置を取り外さないかぎり球通路ユニットが不用意に脱落してしまうことを防止できる。
【００１３】
また、上記の構成において、ロック部材は球通路ユニットと球払出装置との間に挿脱可能な部材であれば何でも良いが、このロック部材が球通路ユニットと球払出装置との間に挿脱できるように遊技機本体に移動可能に保持されていると、ロック部材を遊技機本体のアンロック位置に保持した状態で球通路ユニットと球払出装置の取り付け作業を行った後、ロック部材を遊技機本体に保持したままロック位置に移動させれば良いため、球通路ユニットと球払出装置との間にロック部材を簡単かつ確実に挿脱させることができる。
【発明の効果】
【００１４】
本発明のパチンコ機によれば、着脱可能な球通路ユニットと球払出装置を単純構成のロック機構によって脱落防止することができる。
【図面の簡単な説明】
【００１５】
【図１】本発明の実施形態例に係るパチンコ機の斜視図である。
【図２】図１に示すパチンコ機のガラス扉を開放した状態を示す斜視図である。
【図３】該パチンコ機に備えられる機器本体の背面図である。
【図４】図３に示す機器本体に装着される球通路ユニットの正面図である。
【図５】該球通路ユニットの断面図である。
【図６】該球通路ユニットを裏面側から見た斜視図である。
【図７】図３に示す機器本体に装着される球払出装置の正面図である。
【図８】該球払出装置の裏面図である。
【図９】該球払出装置の側面図である。
【図１０】該球払出装置の断面図である。
【図１１】図３に示す機器本体に装着されるロック部材の正面図である。
【図１２】該ロック部材を裏面側から見た斜視図である。
【図１３】球通路ユニットの取り付け動作を示す斜視図である。
【図１４】球払出装置の取り付け動作を示す斜視図である。
【図１５】球通路ユニットと球払出装置の取り付け完了状態示す斜視図である。
【図１６】ロック部材が解除スペースから離脱された状態を示す説明図である。
【発明を実施するための形態】
【００１６】
発明の実施の形態について図面を参照して説明すると、図１に示すように、本発明の実施形態例に係るパチンコ機は、遊技場の島設備に設置される縦長方形状の外枠１と、外枠１に扉状に開閉自在に取り付けられた機器本体２と、機器本体２の前面に扉状に開閉自在に取り付けられたガラス扉３等を備えており、ガラス扉３にはガラスやプラスチック等からなる透明板４が取り付けられている。
【００１７】
外枠１の左側枠部には上側軸受け体５と下側軸受け体６が固着されており、これら一対の軸受け体５，６に機器本体２の左側枠部に設けられた上下のピン（図示せず）が軸支されることにより、機器本体２は外枠１に対して開閉自在となっている。
【００１８】
機器本体２の左側枠部には上側ヒンジ板７と下側ヒンジ板８が設けられており、図示せぬが、上側ヒンジ板７には取付孔が形成されると共に、下側ヒンジ板８には支軸が立設されている。そして、ガラス扉３の左側枠部の上部に設けた取付ピンを上側ヒンジ板７の取付孔に挿入すると共に、ガラス扉３の左側枠部の下面に設けた軸孔を下側ヒンジ板８の支軸に挿入することにより、ガラス扉３は機器本体２に対して開閉自在となっている。
【００１９】
機器本体２の上部内側には遊技盤９が収納されており、この遊技盤９の盤面（前面）はガラス扉３の透明板４を透して目視可能となっている。図２に示すように、遊技盤９はガイドレール１０等によって区画形成された遊技領域１１を有しており、この遊技領域１１の中央部には遊技の演出を表示する液晶表示ユニット１２が配設されている。詳細な説明は省略するが、遊技領域１１にはそれ以外にも始動入賞口、一般入賞口、アタッカー装置、遊技釘、風車、アウト口等が設けられている。また、遊技盤９よりも下方の機器本体２はガラス扉３によって覆い隠される設置部２ａとなっており、この設置部２ａにはスピーカ１３や発射装置１４等が配設されている。
【００２０】
機器本体２の右側枠部にはシリンダ錠１５ａを有する施錠装置１５が設置されており、図示せぬが、この施錠装置１５は機器本体２の裏面に配置された後部施錠杆と機器本体２の前面に配置された前部施錠杆とを備えている。常態では、施錠装置１５の後部施錠杆により外枠１に対して機器本体２が施錠されると共に、前部施錠杆により機器本体２に対してガラス扉３が施錠されている。そして、シリンダ錠１５ａの鍵穴に図示せぬ鍵を差し込み、この鍵を一方向（例えば時計回り）へ回動すると、後部施錠杆が上動して機器本体２が開錠されるようになっている。また、シリンダ錠１５ａの鍵穴に差し込んだ鍵を他方向（反時計回り）へ回動すると、前部施錠杆が上動してガラス扉３が開錠されるようになっている。
【００２１】
図１に示すように、ガラス扉３には遊技盤９の盤面に対向する大きな窓孔３ａが開設されており、この窓孔３ａは透明板４によって塞がれている。ガラス扉３前面下部には、遊技盤９の裏面に配設された球払出装置２３（図３参照）から払い出された遊技球を収容する上段受皿１６と、上段受皿１６から排出された遊技球を収容する下段受皿１７と、遊技者による押下および回転操作が可能な演出操作ユニット１８とが設けられており、下段受皿１７の斜め右下方には発射装置１４の発射強度を調整するための操作ハンドル１９が配設されている。さらに、下段受皿１７の斜め右上方にはスピーカ１３の音を放射するグリル部３ｂが設けられており、このスピーカ１３によって遊技に関する様々な効果音を発するようになっている。
【００２２】
図３に示すように、機器本体２の背面側には、遊技場の島設備から供給される多数の遊技球を貯留可能な貯留タンク２０と、貯留タンク２０から排出された遊技球を一列に整列させて斜め下方へ誘導する樋状部材２１と、樋状部材２１から吐出された遊技球を上方から下方へ流下させる球通路ユニット２２と、球通路ユニット２２の下端に連続する球払出装置２３等が設けられている。図示は省略されているが、それ以外にも機器本体２の背面側には、遊技に関する主要な処理を行う主制御基板や、主制御基板からの指令を受けて液晶表示ユニット１２やスピーカ１３等の各種装置を制御する副制御基板、主制御基板からの指令を受けて球払出装置２３を制御する払出制御基板、操作ハンドル１９の回動量に応じて発射装置１４の作動を制御する発射制御基板等が設けられている。
【００２３】
球通路ユニット２２は機器本体２に対して着脱可能な略直方体形状の部材であり、図４〜図６に示すように、この球通路ユニット２２の内部には蛇行した誘導通路２４が設けられている。誘導通路２４の上端入口は樋状部材２１の吐出口に連通するようになっており、誘導通路２４の下端出口は球払出装置２３の上端入口と対向するようになっている。球通路ユニット２２の上端と裏面側（機器本体２の背面に対峙する面）には舌片状の係合突起２２ａ，２２ｂが設けられており、後述するように、これら係合突起２２ａ，２２ｂが機器本体２の背面側に設けられた上側係合部に対して係脱可能となっている。また、球通路ユニット２２の裏面側における下方位置には断面山形状の保持突起２２ｃが設けられており、後述するように、この保持突起２２ｃは機器本体２の背面側に設けられた係合受片と係脱可能となっている。さらに、球通路ユニット２２の下面には角型筒状の連通突起２２ｄが形成されており、この連通突起２２ｄの開口端が誘導通路２４の下端出口となっている。
【００２４】
球払出装置２３は機器本体２に対して着脱可能な箱型形状の部材であり、図７〜図１０に示すように、この球払出装置２３の内部には払出通路２５ａと球抜き通路２５ｂに分岐された排出通路２５が設けられている。球払出装置２３の裏面側における上下３箇所には係合突起２３ａが設けられており、後述するように、これら係合突起２３ａが機器本体２の背面側に設けられた下側係合部に対して係脱可能となっている。また、球払出装置２３の上面には平面視コ字状の被覆壁２３ｂが形成されており、この被覆壁２３ｂによって球通路ユニット２２の下面から突出する連通突起２２ｄが覆われるようになっている。ただし、球通路ユニット２２が上側係合部に係止されているときに被覆壁２３ｂの上端は球通路ユニット２２の下面に当接しておらず、これら被覆壁２３ｂの上端と球通路ユニット２２の下面との間に、球通路ユニット２２と球払出装置２３の上下方向の移動を許可する解除スペースＳが確保されるようになっている（図３参照）。
【００２５】
球払出装置２３の内部には、球払出モータ２６や、球払出モータ２６の作動により所定数の遊技球を流下排出させる球送りロータ２７（スプロケット）や、排出通路２５の上端入口から入った遊技球を払出通路２５ａと球抜き通路２５ｂに切り替える切替機構等が組み込まれており、通常の遊技状態においては、払出通路２５ａを通過した遊技球が上段受皿１６内に賞球として払い出される。また、切替機構を作動させて排出経路を球抜き通路２５ｂ側へ切り替えると、排出通路２５に入った遊技球は球抜き通路２５ｂを通って回収球としてパチンコ機の外部に排出される。
【００２６】
球通路ユニット２２と球払出装置２３の側方にはロック部材２８が配置されており、このロック部材２８は機器本体２の背面側にスライド可能に保持されている。図１２と図１３に示すように、ロック部材２８の裏面側には複数のガイドレール２８ａが形成されており、これらガイドレール２８ａを機器本体２の背面に設けたガイド溝２９（図３参照）に摺動可能に嵌合することにより、ロック部材２８はガイド溝２９に沿って左右方向へ手動操作できるようになっている。また、ロック部材２８の上部一側面にはストッパ突部２８ｂが形成されており、詳細については後述するが、ロック部材２８がアンロック位置に保持されているとき、ストッパ突部２８ｂは球通路ユニット２２と球払出装置２３の側方に位置しているが、ロック部材２８がロック位置へとスライド操作されると、ストッパ突部２８ｂは球通路ユニット２２の下面と球払出装置２３の上面との間に嵌まり込むようになっている。
【００２７】
次に、このように構成された球通路ユニット２２と球払出装置２３を機器本体２の裏面に取り付ける作業手順について図１３〜図１５を参照しつつ説明する。なお、以下の説明では、機器本体２を背面側から見たときの方向を前後、左右および上下方向とし、これらの方向を図中に矢印で示してある。また、これら図１３〜図１５においては、図３に示された貯留タンク２０と樋状部材２１は省略されている。
【００２８】
図１３に示すように、機器本体２の裏面側における右側部は球通路ユニット２２と球払出装置２３が組み付けられる取付面となっており、この取付面の上部領域に前述した上側係合部と係合受片が設けられている。上側係合部は下面に開口部を有する２つの係合孔部３０によって構成されており、係合受片３１は上端部を支点として前後方向へ揺動可能な片持ち梁状部材となっている。また、取付面の下部領域に前述した下側係合部が設けられており、この下側係合部は上面に開口部を有する３つの係合孔部３２によって構成されている。
【００２９】
まず、図１３に示すように、ロック部材２８を左端側のアンロック位置に移動しておき、この状態で球通路ユニット２２を機器本体２の取付面に対して斜め上方へスライド移動することにより、球通路ユニット２２の２つの係合突起２２ａ，２２ｂを機器本体２の対応する係合孔部３０に嵌め込むと共に、残り１つの保持突起２２ｃを係合受片３１の突出部に係合させる。
【００３０】
その結果、図１４に示すように、球通路ユニット２２は機器本体２に仮保持された状態となり、球通路ユニット２２に設けられた誘導通路２４の上端入口が樋状部材２１（図３参照）の吐出口と連通する。そして、このように球通路ユニット２２を機器本体２に仮保持させた後、球払出装置２３を機器本体２の取付面に対して斜め下方へスライド移動することにより、球払出装置２３の３つの係合突起２３ａを機器本体２の対応する係合孔部３２に嵌め込む。この時点で球通路ユニット２２と球払出装置２３の両方が機器本体２に仮保持された状態となるが、かかる仮保持状態において、球払出装置２３の被覆壁２３ｂは球通路ユニット２２の下面に当接しておらず、これら被覆壁２３ｂの上端と球通路ユニット２２の下面との間に解除スペースＳが確保されている。
【００３１】
しかる後、図１５に示すように、ロック部材２８をガイド溝２９に沿って右方向へスライド操作することにより、ロック部材２８をアンロック位置からロック位置まで移動してストッパ突部２８ｂを球通路ユニット２２の下面と球払出装置２３の上面との間に挿入し、この時点で球通路ユニット２２と球払出装置２３の取付作業が完了する。その結果、ストッパ突部２８ｂがロック位置で球通路ユニット２２と球払出装置２３との間に挿入されているかぎり、球払出装置２３を上方へ移動して係合突起２３ａと係合孔部３２の係止状態を解除することができなくなると共に、球通路ユニット２２を下方へ移動して係合突起２２ａ，２２ｂと係合孔部３０の係止状態を解除することができなくなる。
【００３２】
球払出装置２３を保守点検や修理・交換等のために機器本体２の取付面から取り外す場合は、まず、ロック部材２８をロック位置からアンロック位置へスライド操作し、ロック部材２８のストッパ突部２８ｂを球通路ユニット２２の下面と球払出装置２３の上面との間から離脱させた後、球払出装置２３を解除スペースＳの範囲内で上方へスライド移動する。その際、係合突起２３ａと係合孔部３２の係合量が解除スペースＳの上下方向に沿う長さ寸法に対して小さく設定されているため、球払出装置２３を上方へスライド移動して解除スペースＳの隙間を狭めていけば、係合突起２３ａと係合孔部３２の係止状態を解除して球払出装置２３を取り外すことができる。
【００３３】
また、球通路ユニット２２を保守点検や修理・交換等のために機器本体２の取付面から取り外す場合は、上記した手順によって球払出装置２３を機器本体２の取付面から取り外した後、球通路ユニット２２を下方へスライド移動して保持突起２２ｃと係合受片３１の係合を解除する。その際、球通路ユニット２２の下方に球払出装置２３が存在しないため、そのまま係合突起２２ａ，２２ｂが係合孔部３０から抜ける位置まで球通路ユニット２２を下方へスライド移動すれば、係合突起２２ａ，２２ｂと係合孔部３０の係止状態が解除されて球通路ユニット２２を取り外すことができる。
【００３４】
なお、機器本体２を開放した作業者（ホール店員）がロック部材２８を誤操作してしまったり、機器本体２の開閉動作時にロック部材２８が島設備やワイヤーハーネスに引っ掛かる等して、ロック部材２８が意図せずに球通路ユニット２２と球払出装置２３との間から離脱してアンロック位置へ移動してしまった場合、球通路ユニット２２と球払出装置２３は前述した仮保持状態となる。かかる仮保持状態において、球払出装置２３の自重は係合突起２３ａが係合孔部３２に嵌まり込む方向に作用しているため、外部振動や衝撃によって球払出装置２３が機器本体２の取付面から外れてしまうことはない。
【００３５】
これに対し、球通路ユニット２２の自重は係合突起２２ａ，２２ｂが係合孔部３０から抜ける方向に作用しているため、外部振動や衝撃を受けると保持突起２２ｃが係合受片３１から外れてしまい、球通路ユニット２２が解除スペースＳ内を下方へ移動することがある。この場合、解除スペースＳの下方に球払出装置２３が存在しているため、図１６に示すように、解除スペースＳ内を下方へ移動した球通路ユニット２２は球払出装置２３の被覆壁２３ｂに突き当たって停止する。ここで、係合突起２２ａ，２２ｂと係合孔部３０の係合量が解除スペースＳの上下方向に沿う長さ寸法よりも大きく設定されているため、球通路ユニット２２が被覆壁２３ｂに当接して移動規制された時点で、まだ係合突起２２ａ，２２ｂと係合孔部３０の係合状態は維持された状態となっている。したがって、ロック部材２８が意図せずにアンロック位置へ移動してしまったとして、球通路ユニット２２が不用意に機器本体２の取付面から脱落してしまうことはない。
【００３６】
以上説明したように、本実施形態例に係るパチンコ機では、球通路ユニット２２を上方へスライド移動して係合突起２２ａ，２２ｂを係合孔部３０に挿入・係止させると共に、球払出装置２３を下方へスライド移動して係合突起２３ａを係合孔部３２に挿入・係止させることにより、球通路ユニット２２と球払出装置２３との間に両者の係止状態を解除可能な解除スペースＳが確保されるが、球通路ユニット２２と球払出装置２３との間にロック部材２８を介設させると、球通路ユニット２２の下方向への動きと球払出装置２３の上方向への動きが両方ともに阻止されるため、共通のロック部材２８を用いて球通路ユニット２２と球払出装置２３の脱落を防止することができる。
【００３７】
そして、球通路ユニット２２の係合突起２２ａ，２２ｂを係合孔部３０から係止解除させるのに必要なスライド量が解除スペースＳの上下方向に沿う長さよりも大きく設定されているため、ロック部材２８が島設備に引っ掛かる等して意図せずに離脱してしまった場合でも、球通路ユニット２２は係合突起２２ａ，２２ｂと係合孔部３０の係止状態が外れる前に球払出装置２３の被覆壁２３ｂに当接して下方向への動きが阻止されるため、球払出装置２３を取り外さないかぎり球通路ユニット２２が不用意に脱落してしまうことを防止できる。
【００３８】
また、ロック部材２８が機器本体２の背面に設けたガイド溝２９にスライド可能に保持されており、このロック部材２８をアンロック位置に保持した状態で球通路ユニット２２と球払出装置２３の取り付け作業を行った後、ガイド溝２９に沿ってロック部材２８をロック位置まで移動させれば良いため、球通路ユニット２２と球払出装置２３との間に対してロック部材２８を簡単かつ確実に挿脱させることができる。
【００３９】
なお、上記実施形態例では、ロック部材２８を機器本体２の背面にスライド可能に保持させた場合について説明したが、ロック部材２８は球通路ユニット２２と球払出装置２３との間に挿脱可能な部材であれば何でも良く、例えば、ロック部材を機器本体２の背面に回転可能に保持し、このロック部材を回動操作して球通路ユニット２２と球払出装置２３との間に挿入／離脱するようにしても良い。
【符号の説明】
【００４０】
１  外枠
２  機器本体（遊技機本体）
３  ガラス扉
９  遊技盤
１１  遊技領域
２０  貯留タンク
２１  樋状部材
２２  球通路ユニット
２２ａ，２２ｂ  係合突起
２２ｃ  保持突起
２２ｄ  連通突起
２３  球通路ユニット
２３ａ  係合突起
２３ｂ  被覆壁
２５  誘導通路
２８  ロックレバー
２８ａ  ガイドレール
２８ｂ  ストッパ突部
２９  ガイド溝
３０  係合孔部（上側係合部）
３１  係合受片
３２  係合孔部（下側係合部）
Ｓ  解除スペース
【図１】
2017176257.tif 000003
【図２】
2017176257.tif 000004
【図３】
2017176257.tif 000005
【図４】
2017176257.tif 000006
【図５】
2017176257.tif 000007
【図６】
2017176257.tif 000008
【図７】
2017176257.tif 000009
【図８】
2017176257.tif 000010
【図９】
2017176257.tif 000011
【図１０】
2017176257.tif 000012
【図１１】
2017176257.tif 000013
【図１２】
2017176257.tif 000014
【図１３】
2017176257.tif 000015
【図１４】
2017176257.tif 000016
【図１５】
2017176257.tif 000017
【図１６】
2017176257.tif 000018